(57)【要約】      （修正有）【課題】確実かつ安定的に保持し、予め設定された一定以上の力により確実に引き出すことができる伸縮式水難救助用梯子を提供する。【解決手段】支柱を複数本伸縮自在に嵌入し、各支柱の下部に踏板を水平に取付けたスライド式水難救助用梯子において、最下段の支柱３の上端部に、途中が湾曲した板スプリング８を取付け、最上段の支柱１上部にスプリング掛け棒９を取付け、該最上段の支柱上部内側面にスプリング押え板１０を取付け、梯子を最小に縮めたときに最下段の支柱の上端部に取付けた板スプリングが上ってスプリング掛け棒に該板スプリングの湾曲部が嵌り、スプリング押え板によって板スプリングが容易に外れるのを抑止して縮めた梯子全体を確実かつ安定的に保持し、最下段の踏板下部に取付けた引張り把手を一定以上の力で引っ張ったときに板スプリングがスプリング掛け棒から外れて梯子が伸びる構造とする。【選択図】図１
2009046099.tif 000002
【特許請求の範囲】
【請求項１】
断面形状が正方形管又は長方形管の支柱を複数本伸縮自在に嵌入し、各支柱の下部に踏板を水平に取付け、最下段を除く各支柱の一面に縦のスライド溝を設け、最上部を除く各支柱の上部にストッパーを設けて各上部支柱のスライド溝に嵌め込み、各支柱を最大限に伸ばしたときにストッパーにより支柱が抜けない構造とした伸縮式水難救助用梯子において、
最下段の支柱の上端部に、途中が湾曲した板スプリングを取付け、最上段の支柱上部にスプリング掛け棒を取付け、該最上段の支柱上部内側面にスプリング押え板を取付け、梯子を最小に縮めたときに最下段の支柱の上端部に取付けた板スプリングが上ってスプリング掛け棒に該板スプリングの湾曲部が嵌り、スプリング押え板によって板スプリングが容易に外れるのを抑止して縮めた梯子全体を保持し、最下段の踏板下部に取付けた引張り把手を予め設定された一定以上の力で引っ張ったときに板スプリングがスプリング掛け棒から外れて梯子が伸びる構造とした、伸縮式水難救助用梯子の保持機構。
【発明の詳細な説明】
【技術分野】
【０００１】  本発明は、伸縮式水難救助用梯子の保持機構に関するものである。
【背景技術】
【０００２】  従来、ボートや小型漁船等において、人が船から水中に転落したときに、複数の乗組員がいる場合は、船内の人間が手を貸したりロープ等で転落した人を船内に引き上げることができる。しかし、一人だけの乗船で水中に転落した場合は自力で船内に戻らなければならず、舷側までは泳ぎ着いてもそこから体を船内に引き上げるにはかなりの体力を必要とし、体が衰弱している場合には容易に船内に戻ることはできない。【０００３】  そこで、当出願人は下記の文献において、水中に転落した人が自力で船上に戻ることのできる伸縮式水難救助用梯子の提案をした。
【特許文献１】  特開２００５−１０４４４２
【発明の開示】
【発明が解決しようとする課題】
【０００４】  特開２００５−１０４４４２においては、縮めた複数段の梯子を保持しておく機構として、踏板の結束バンドを提案したのであるが、もし弱い結束バンドを使用して一定以上の力で踏板下部の引張り把手を引いたときに結束バンドが切れるということであれば、結束した状態のままでも船の振動や結束バンドの劣化等により切れる恐れもある。また結束バンドの強度をあまり強くしてしまうと引張り把手を強く引いてもなかなか切れないということもある。
以上のような状況に鑑み、伸縮式梯子を確実かつ安定的に保持しながら、予め設定された一定以上の力で引くと確実に保持が解除されて、梯子が伸びる機構を提案するものである。
【課題を解決するための手段】
【０００５】  断面形状が正方形管又は長方形管の支柱を複数本伸縮自在に嵌入し、各支柱の下部に踏板を水平に取付け、最下段を除く各支柱の一面に縦のスライド溝を設け、最上部を除く各支柱の上部にストッパーを設けて各上部支柱のスライド溝に嵌め込み、各支柱を最大限に伸ばしたときにストッパーにより支柱が抜けない構造とした伸縮式水難救助用梯子において、
最下段の支柱の上端部に、途中が湾曲した板スプリングを取付け、最上段の支柱上部にスプリング掛け棒を取付け、該最上段の支柱上部内側面にスプリング押え板を取付け、梯子を最小に縮めたときに最下段の支柱の上端部に取付けた板スプリングが上ってスプリング掛け棒に該板スプリングの湾曲部が嵌り、スプリング押え板によって板スプリングが容易に外れるのを抑止して縮めた梯子全体を確実かつ安定的に保持し、最下段の踏板下部に取付けた引張り把手を予め設定された一定以上の力で引っ張ったときに板スプリングがスプリング掛け棒から外れて梯子が伸びる構造とした、伸縮式水難救助用梯子の保持機構である。
【発明の効果】
【０００６】  本発明を用いることにより、伸縮式水難救助用梯子の縮めた状態を確実にかつ安定的に保持すると共に、引き出す場合は予め設定された一定以上の力をかけることにより、確実に引き出すことができる。
【発明を実施するための最良の形態】
【０００７】  本発明の実施例を図１により説明する。
１段目支柱（１）に２段目支柱（２）を伸縮自在に嵌入し、２段目支柱（２）に３段目支柱（３）を伸縮自在に嵌入し、１段目支柱（１）下端に１段目踏板（４）を水平に取付け、２段目支柱（２）下端に２段目踏板（５）を水平に取付け、３段目支柱（３）下端に３段目踏板（６）を水平に取付け、３段目踏板（６）下部に引張り把手（７）を取付ける。
１段目支柱（１）の一面にスライド溝Ａ（１ａ）を設け、２段目支柱（２）の一面にスライド溝Ｂ（２ａ）を設け、２段目支柱（２）の上端にストッパーＡ（２ｂ）を設け、３段目支柱（３）の上端にストッパーＢ（３ａ）を設け、ストッパーＡ（２ｂ）はスライド溝Ａ（１ａ）にスライド自在に嵌入され、ストッパーＢ（３ａ）はスライド溝Ｂ（２ａ）にスライド自在に嵌入され、梯子を最大限に伸ばしたときに梯子の各支柱が各ストッパーにより保持される。
上記構造の伸縮式水難救助用梯子において、
３段目支柱（３）の上端部に、途中が湾曲した形状の板スプリング（８）を取付け、１段目支柱（１）の上部にスプリング掛け棒（９）を取付け、該１段目支柱（１）上部の内側面にスプリング押え板（１０）を取付けた、伸縮式水難救助用梯子の保持機構。【０００８】  梯子を最大限に縮めたとき、３段目支柱（３）の上端部に取付けた板スプリング（８）が上がって、スプリング掛け棒（９）に板スプリング（８）の湾曲部が嵌り込み、スプリング押え板（１０）によって押えられ、梯子が確実に保持される。（図２及び図３参照）  梯子を引き出すときは、３段目踏板（６）下部に取付けられた引張り把手（７）を予め設定された一定以上の力（例えば５ｋｇ以上）で引いたときに，板スプリング（８）の先端がスプリング押え板（１０）を押して該板スプリング（８）の湾曲部がスプリング掛け棒（９）から外れ、梯子を引出して最大限に伸ばすことができる。【０００９】  伸縮式水難救助用梯子を船の舷側に取付ける方法は、１段目支柱（１）の両側面に舷側取付け板を取付けてそれに跨座式の舷側取付け具を取付け、該舷側取付け具に設けたネジ止め具によって舷側に固定する。
【図面の簡単な説明】
【００１０】
【図１】本発明を取付けて伸ばした場合の伸縮式水難救助用梯子
【図２】本発明を取付けて縮めた場合の伸縮式水難救助用梯子
【図３】本発明の伸縮式水難救助用梯子の保持機構を左側面より見た図
【符号の説明】
【００１１】  １    １段目支柱
１ａ  スライド溝Ａ
２    ２段目支柱
２ａ  スライド溝Ｂ
２ｂ  ストッパーＡ
３    ３段目支柱
３ａ  ストッパーＢ
４    １段目踏板
５    ２段目踏板
６    ３段目踏板
７    引張り把手
８    板スプリング
９    スプリング掛け棒
１０    スプリング押え板
【図１】
2009046099.tif 000003
【図２】
2009046099.tif 000004
【図３】
2009046099.tif 000005